(57)【要約】【課題】製品の小型化を図る。【解決手段】空気調和装置１００では、第１吹出口７が放熱器１０を通った空気を横方向に吹き出し、第２吹出口８が蒸発器１２を通った空気を第１吹出口７から吹き出される空気の向きと異なる横方向に吹き出す。ユーザーは空気調和装置１００の向きを変更するだけで冷風および温風のいずれかを得ることができる。このように、冷気と暖気を異なる横方向に吹き分ける構成としたので、通風路がシンプルになり、製品の小型化に寄与する。【選択図】図２
2022001797.tif 000002
【特許請求の範囲】
【請求項１】
圧縮機（９）、放熱器（１０）、および蒸発器（１２）の順に冷媒を循環させ、冷房運転および暖房運転が選択可能な空気調和装置であって、
前記放熱器（１０）および前記蒸発器（１２）を通過する空気の流れを生成するファン（１３）と、
前記圧縮機（９）、前記放熱器（１０）、前記蒸発器（１２）および前記ファン（１３）を収容するケーシング（２０，２２０）と、
を備え、
前記ケーシング（２０，２２０）は、
前記放熱器（１０）を通った空気を横方向に吹き出す第１吹出口（７，２０７）と、
前記蒸発器（１２）を通った空気を、前記第１吹出口（７，２０７）から吹き出される空気の向きと異なる横方向に吹き出す第２吹出口（８，２０８）と、
を有する、
空気調和装置（１００，３００）。
【請求項２】
前記ケーシング（２０，２２０）は、
前記第１吹出口（７，２０７）を有する第１の側壁（２１，２２４）と、
前記第２吹出口（８，２０８）を有する第２の側壁（２２，２２２）と、
を含む、
請求項１に記載の空気調和装置（１００，３００）。
【請求項３】
前記放熱器（１０）および前記蒸発器（１２）の一方を通過した空気の通風路（１８）が曲がっている、
請求項１又は請求項２に記載の空気調和装置（１００）。
【請求項４】
前記放熱器（１０）に流れる空気および前記蒸発器（１２）に流れる空気は共に、前記ケーシング（２０）の少なくとも一つの側壁から取り込まれる、
請求項１から請求項３のいずれか１項に記載の空気調和装置（１００）。
【請求項５】
前記ケーシング（２０）は、前記放熱器（１０）に流れる空気および前記蒸発器（１２）に流れる空気を取り込む吸込口（５，６）をさらに有し、
前記吸込口（５，６）は、角部（２５）を形成する前記ケーシング（２０）の２つの側壁（２１，２４）、及び前記角部（２５）の少なくとも一つに形成されている、
請求項１から請求項３のいずれか１項に記載の空気調和装置（１００）。
【請求項６】
前記ファン（１３）は、一つのファンで共用されている、
請求項１から請求項５のいずれか１項に記載の空気調和装置（１００，３００）。
【請求項７】
前記ファン（１３）は、クロスフローファンであり、前記放熱器（１０）および前記蒸発器（１２）の風上側に配置されている、
請求項１から請求項６のいずれか１項に記載の空気調和装置（１００）。
【請求項８】
前記ファン（１３）の周囲には、
前記ファン（１３）から前記放熱器（１０）および前記蒸発器（１２）に向けて空気を拡散させるディフューザ（１５）と、
前記ファン（１３）の外周から徐々に遠心方向に離れるように湾曲しながら延びて前記ディフューザ（１５）に繋がるスクロール（１６）と、
前記スクロール（１６）とは異なる位置で前記ファン（１３）の外周に最も近接する壁の端部から反り返るように前記ディフューザ（１５）に繋がる舌部（１７）と、
が設けられ、
前記ファン（１３）の回転軸方向から視て、前記放熱器（１０）側の前記スクロール（１６ａ）と、前記蒸発器（１２）側の前記スクロール（１６ｂ）とが、同じ位置、或いは近傍に配置され、
さらに、前記ファン（１３）の回転軸方向から視て、前記放熱器（１０）側の前記舌部（１７ａ）と、前記蒸発器（１２）側の前記舌部（１７ｂ）とが、同じ位置、或いは近傍に配置されている、
請求項１から請求項７のいずれか１項に記載の空気調和装置（１００）。
【請求項９】
前記ファン（１３）の回転軸方向から視て、前記放熱器（１０）側の前記ディフューザ（１５ａ）の最大幅は、前記放熱器（１０）の幅に応じて設定され、
さらに、前記ファン（１３）の回転軸方向から視て、前記蒸発器（１２）側の前記ディフューザ（１５ｂ）の最大幅は、前記蒸発器（１２）の幅に応じて設定されている、
請求項８に記載の空気調和装置（１００）。
【請求項１０】
前記ケーシング（２０，２２０）を吊り下げる把手（３０３）をさらに備え、
前記把手（３０３）は前記ケーシング（２０，２２０）の天面（３０，２３０）の中央から外れた位置に装着されている、
請求項１から請求項９のいずれか１項に記載の空気調和装置（１００，３００）。
【請求項１１】
前記第１吹出口（２０７）と前記第２吹出口（２０８）とが互いに反対向きとなるように、少なくとも前記放熱器（１０）側および前記蒸発器（１２）側における通風路（２１８，２１９）が、前記ファン（１３）の回転軸回りに角度を異ならせて配置されている、
請求項１又は請求項２に記載の空気調和装置（３００）。
【発明の詳細な説明】
【技術分野】
【０００１】
冷媒回路を１つのケーシング内に収納した空気調和装置に関する。
【背景技術】
【０００２】
近年、冷媒回路を１つのケーシング内に収納した空気調和装置が広く普及しており、例えば、特許文献１（特開昭６３−１７６９３８号公報）に記載されている空気調和装置は、凝縮器を通過した暖かい空気（温風）の吹出方向と、蒸発器を通過した冷たい空気（冷風）の吹出方向とが異なるように構成されている。
【発明の概要】
【発明が解決しようとする課題】
【０００３】
しかしながら、上記のような空気調和装置では、温風と冷風の吹出方向を異ならせるための構成が複雑で、製品の小型化が容易ではない。そのため、製品の小型化を図るという課題が存在する。
【課題を解決するための手段】
【０００４】
第１観点の空気調和装置は、圧縮機、放熱器および蒸発器の順に冷媒を循環させ、冷房運転および暖房運転が選択可能な空気調和装置であって、ファンと、ケーシングとを備えている。ファンは、放熱器および蒸発器を通過する空気の流れを生成する。ケーシングは、圧縮機、放熱器、蒸発器およびファンを収容する。ケーシングは、第１吹出口と第２吹出口とを有している。第１吹出口は、放熱器を通った空気を横方向に吹き出す。第２吹出口は、蒸発器を通った空気を、第１吹出口から吹き出される空気の向きと異なる横方向に吹き出す。
【０００５】
この空気調和装置では、冷気と暖気を異なる横方向に吹き分ける構成としたので、風路がシンプルになり、製品の小型化に寄与する。
【０００６】
第２観点の空気調和装置は、第１観点の空気調和装置であって、ケーシングが、第１吹出口を有する第１の側壁と、第２吹出口を有する第２の側壁とを含んでいる。
【０００７】
この空気調和装置では、ユーザーは空気調和装置の向きを変更することによって、対象物に冷気および暖気のいずれか一方を供給することができる。
【０００８】
第３観点の空気調和装置は、第１観点又は第２観点の空気調和装置であって、放熱器および蒸発器の一方を通過した空気の通風路が曲がっている。
【０００９】
この空気調和装置では、放熱器および蒸発器の一方を通過した空気の通風路を曲げるという構成で冷気と暖気を吹き分けるので、風路がシンプルになり、製品の小型化に寄与する。
【００１０】
第４観点の空気調和装置は、第１観点から第３観点のいずれか１つの空気調和装置であって、放熱器に流れる空気および蒸発器に流れる空気は共に、ケーシングの少なくとも１つの側壁から取り込まれる。
【００１１】
この空気調和装置では、放熱器に流れる空気の風路、および蒸発器に流れる空気の風路の一部を共用することができるので、製品の小型化に寄与する。
【００１２】
第５観点の空気調和装置は、第１観点から第３観点のいずれか１つの空気調和装置であって、ケーシングが、放熱器に流れる空気および蒸発器に流れる空気を取り込む吸込口をさらに有している。吸込口は、角部を形成するケーシングの２つの側壁、および角部の少なくとも１つに形成されている。
【００１３】
この空気調和装置では、放熱器に流れる空気の風路、および蒸発器に流れる空気の風路の一部を共用することができ、製品の小型化に寄与する。
【００１４】
第６観点の空気調和装置は、第１観点から第５観点のいずれか１つの空気調和装置であって、ファンが１つのファンで共用されている。それゆえ、部品点数の削減に寄与する。
【００１５】
第７観点の空気調和装置は、第１観点から第６観点のいずれか１つの空気調和装置であって、ファンが、クロスフローファンである。また、ファンは、放熱器および蒸発器の風上側に配置されている。
【００１６】
この空気調和装置では、クロスフローファンは、圧力分布が均一であり、放熱器および蒸発器の通風抵抗が同じであれば放熱器および蒸発器に対して同一の空気量を押し込むことができる。
【００１７】
第８観点の空気調和装置は、第１観点から第７観点のいずれか１つの空気調和装置であって、ファンの周囲には、ディフューザと、スクロールと、舌部とが設けられている。ディフューザは、ファンから放熱器および蒸発器に向けて空気を拡散させる。スクロールは、ファンの外周から徐々に遠心方向に離れるように湾曲しながら延びてディフューザに繋がっている。舌部は、スクロールとは異なる位置でファンの外周に最も近接する壁の端部から反り返るようにディフューザに繋がる。ファンの回転軸方向から視て、放熱器側のスクロールと、蒸発器側のスクロールとが、同じ位置、或いは近傍に配置されている。さらに、ファンの回転軸方向から視て、放熱器側の舌部と、蒸発器側の舌部とが、同じ位置、或いは近傍に配置されている。それゆえ、この空気調和装置では、送風効率が向上する。
【００１８】
第９観点の空気調和装置は、第８観点の空気調和装置であって、ファンの回転軸方向から視て、放熱器側のディフューザの最大幅は、放熱器の幅に応じて設定されている。さらに、ファンの回転軸方向から視て、蒸発器側のディフューザの最大幅は、蒸発器の幅に応じて設定されている。
【００１９】
この空気調和装置では、放熱器と蒸発器の幅寸法が異なっていても、ディフューザで対応することができる。
【００２０】
第１０観点の空気調和装置は、第１観点から第９観点のいずれか１つの空気調和装置であって、ケーシングを吊り下げる把手をさらに備えている。把手はケーシングの天面の中央から外れた位置に装着されている。
【００２１】
この空気調和装置では、把手は天板の中央ではなく、重心の真上に把手がくるように装着されることが好ましい。
【００２２】
第１１観点の空気調和装置は、第１観点から第１０観点のいずれか１つの空気調和装置であって、第１吹出口と第２吹出口とが互いに反対向きとなるように、少なくとも放熱器側および前記蒸発器側における通風路が、ファンの回転軸回りの角度を異ならせて配置されている。
【００２３】
この空気調和装置では、ユーザーは空気調和装置の向きを変更することによって、対象物に冷気および暖気のいずれか一方を供給することができる。
【図面の簡単な説明】
【００２４】
【図１】第１実施形態の空気調和装置の冷媒回路図。
【図２】空気調和装置の斜視図。
【図３】ケーシングの第２側面および第３側面が手前側になるように配置したときの空気調和装置の斜視図。
【図４】第２側面が手前側になるように配置して真上から視たときの空気調和装置の平面図。
【図５】放熱器、蒸発器およびファンの位置関係を示す斜視図。
【図６】図５の放熱器、蒸発器およびファンを別の角度から視たときの斜視図。
【図７】図３に示す仮想平面Ｆ１において切断された空気調和装置の部分断面図。
【図８】図３に示す仮想平面Ｆ２において切断された空気調和装置の部分断面図。
【図９】第２実施形態の空気調和装置の斜視図
【図１０】ケーシングの第２側面および第３側面が手前側になるように配置したときの空気調和装置の斜視図。
【図１１】図１０から第１風路および第２風路のみを抽出した分解斜視図
【発明を実施するための形態】
【００２５】
＜第１実施形態＞
（１）空気調和装置１００の構成
図１は、第１実施形態の空気調和装置１００の冷媒回路図である。図１において、空気調和装置１００は、圧縮機９、放熱器１０、膨張弁１１及び蒸発器１２の順に冷媒が循環する冷媒回路を有している。
【００２６】
放熱器１０及び蒸発器１２は、ともにフィンアンドチューブ式の熱交換器である。ケーシング２０は、圧縮機９、放熱器１０、膨張弁１１、蒸発器１２を収容している。さらにケーシング２０は、ファン１３と、圧縮機９及びファン１３を制御する電装品５０（図３，４参照）をも収容している。
【００２７】
なお、本実施形態では、ファン１３は、クロスフローファンであり、放熱器１０および蒸発器１２の風上側に配置されており、放熱器１０および蒸発器１２を通過する空気の流れを生成する。
【００２８】
（２）空気調和装置１００の各部詳細
図２は、空気調和装置１００の斜視図である。図２において、ケーシング２０は、水平断面が略矩形である直方体形状を成しており、長手方向が鉛直方向となるように配置される。
【００２９】
（２−１）ケーシング２０
図２に示すように、ケーシング２０は、第１側壁２１、第２側壁２２、第３側壁２３および第４側壁２４を有している。また、底板２９（図３参照）と天板３０とをさらに有している。ケーシング２０は、第１側壁２１、第２側壁２２、第３側壁２３および第４側壁２４によって形成された筒の両端の開口を底板２９と天板３０とによって閉じた態様である。
【００３０】
また、図２において、上記４つの側壁によって形成される４つのコーナーは、第１側壁２１と第４側壁２４との間に形成されるものを第１コーナー２５とし、そこから右回りに順に第２コーナー２６、第３コーナー２７、第４コーナー２８とする。
【００３１】
ケーシング２０には、第１吸込口５、第２吸込口６、第１吹出口７および第２吹出口８が設けられている。第１吸込口５と第１吹出口７とは、第１側壁２１に形成されている。第２吸込口６は、第４側壁２４に形成されている。第２吹出口８は、第２側壁２２に形成されている。
【００３２】
また、第２側壁２２の下方には、貯水タンク７０を着脱するための貯水タンク装着口２２ａが形成されている。貯水タンク７０は、空気調和装置１００内部で発生した結露水を貯める。
【００３３】
天板３０には、操作パネル３０１と、把手３０３とが設けられている。操作パネル３０１は、空気調和装置１００の運転／停止など、各種の操作を行うためのスイッチを含んでいる。操作パネル３０１は、ユーザーが第２吹出口８と対峙したときに手前側に位置するように設けられている。
【００３４】
図３は、ケーシング２０の第２側壁２２および第３側壁２３が手前側になるように配置したときの空気調和装置１００の斜視図である。また、図４は、第２側壁２２が手前側になるように配置して真上から視たときの空気調和装置１００の平面図である。
【００３５】
図３及び図４において、ケーシング２０は輪郭だけを示す一点鎖線で表示している。  図３及び図４に示すように、圧縮機９、及びファン１３がケーシング２０を鉛直に貫く仮想中心軸よりも第４側壁２４側に配置されている。これらは、他の機器に比べて重量が大きいので、重心位置が中心軸より第４側壁２４側へ偏っている。
【００３６】
それゆえ、図２に示すように、把手３０３を掴んで空気調和装置１００を持ち上げたときに傾かないように、把手３０３は天板３０の中心より第４側壁２４側へ偏った位置に設けられている。
【００３７】
また、図２に示すように、把手３０３は、天板３０の他の部分の面よりも窪んだ平面に設けられており、把手３０３を掴んで持ち上げたときに、人の指が入る程度の隙間ができるように構成されている。
【００３８】
（２−２）放熱器１０、蒸発器１２およびファン１３
図５は、放熱器１０、蒸発器１２およびファン１３の位置関係を示す斜視図である。また、図６は、図５の放熱器１０、蒸発器１２およびファン１３を別の角度から視たときの斜視図である。
【００３９】
図５において、放熱器１０および蒸発器１２はフィンアンドチューブ式熱交換器である。蒸発器１２は、放熱器１０の上方に位置し、且つ、蒸発器１２の鉛直上方から視たとき、蒸発器１２と放熱器１０との投影部分が重なるように配置されている。
【００４０】
（２−２−１）放熱器１０
放熱器１０は、鉛直方向に間隔を空けて積み重なるように配列された複数のフィン１０１と、複数のフィン１０１を厚み方向に貫通する複数の伝熱管１０３とを有している。伝熱管１０３は、空気の流れ方向に３列となるように構成されている。
【００４１】
蒸発器１２で生じる結露水はフィン１０１上に導かれるが、フィン１０１の平面領域が上方を向いているので、結露水が流れ落ち難くフィン１０１に長く留まる。
【００４２】
したがって、フィンの平面領域が鉛直方向と平行に配置される場合に比べて、結露水の蒸発量は多くなり、その分、貯水タンク７０に貯まる結露水を少なくすることができる。
【００４３】
（２−２−２）蒸発器１２
蒸発器１２は、水平方向に間隔を空けて積み重なるように配列された複数のフィン１２１と、複数のフィン１２１を厚み方向に貫通する複数の伝熱管１２３とを有している。伝熱管１２３は、空気の流れ方向に２列となるように構成されている。
【００４４】
フィン１２１の平面領域が鉛直方向に延びるので、蒸発器１２に生じた結露水は留まりにくく、容易に落下することができる。
【００４５】
（２−２−３）ファン１３
ファン１３は、ファンロータ１３ａ、ファンロータ１３ｂおよびファンモータ１３ｃを有している。本実施形態では、ファンロータ１３ａとファンロータ１３ｂとは一体に成形された１つのファンロータであるが、説明の便宜上、ファンロータの放熱器１０側部分をファンロータ１３ａ、蒸発器１２側部分をファンロータ１３ｂと区別している。
【００４６】
ファンモータ１３ｃは底板２９上に固定され、ファンモータ１３ｃの回転軸はファンロータ１３ａに連結されている。
【００４７】
ファンロータ１３ａは放熱器１０に対向する位置にあって空気を放熱器１０に向かって押し出す。ファンロータ１３ｂは蒸発器１２に対向する位置にあって空気を蒸発器１２に向かって押し出す。
【００４８】
このように、ファン１３は、放熱器１０および蒸発器１２の風上側に配置されているので、少なくとも放熱器１０および蒸発器１２に流れる空気の吸込口を共有することができるというメリットがある。
【００４９】
（２−３）水受部材６０
放熱器１０と蒸発器１２との間には、水受部材６０が設けられている。図５及び図６に示すように、水受部材６０は、水受面６０ａと、第１側面６０ｂ、第２側面６０ｃおよび第３側面６０ｄ（図６参照）で容器を形成している。
【００５０】
水受面６０ａは、空気流れの風下側にいくほど高さ位置が上位となるように傾斜しており、水受面６０ａに落下した結露水は風上側へ流れる。
【００５１】
第１側面６０ｂおよび第２側面６０ｃは、水受面６０ａに落下した結露水が側方から溢れないように水受面６０ａを空気流れに沿って側方から挟むように起立している。
【００５２】
第３側面６０ｄは、水受面６０ａの傾斜に沿って風上側に流れてくる結露水を第１側面６０ｂ及び第２側面６０ｃとともに集合させるため、水受面６０ａの風上側で結露水を堰き止めるように起立している。
【００５３】
（２−３−１）導水部６１
水受部材６０は、導水部６１をさらに有している。図６に示すように、導水部６１は、水受面６０ａの高さ位置が最も低い部分から下方に延びる水路である。導水部６１の先端は放熱器１０の風上側に位置し、その先端は放熱器１０の上から複数枚目のフィン１０１の高さ位置まで到達している。
【００５４】
導水部６１の断面形状は凹形状であり、その凹形状は底を風上側に向け、放熱器１０のフィン１０１に向かって開いている。それゆえ、水受面６０ａの最下点に集合した結露水は、導水部６１によって放熱器１０のフィン１０１に導かれる。
【００５５】
（２−３−２）拡張部６２
水受部材６０は、拡張部６２をさらに有している。図５に示すように、拡張部６２は、水受面６０ａの風下側端部からさらに風下側に向かってほぼ水平に延びる部位である。
【００５６】
さらに、拡張部６２は、放熱器１０を通過した空気が通る第１通風路１８と蒸発器１２を通過した空気が通る第２通風路１９とを上下に分ける仕切部材としての機能も果たしている。
【００５７】
（２−４）貯水タンク７０
貯水タンク７０は、放熱器１０の下方に配置されており、放熱器１０で蒸発しきれずに落下してくる結露水を受け止めて貯える。そのため、貯水タンク７０の上蓋７１には中央に向かって高さ位置が低くなる凹状面７１ａが形成されており、凹状面７１ａの中央部は貫通孔７１ｂが設けられている。
【００５８】
上蓋７１の凹状面７１ａに落下した結露水は中央に集合した貫通孔７１ｂから貯水タンク７０内に進入する。
【００５９】
（３）放熱器１０を通過する空気の経路
図７は、図３に示す仮想平面Ｆ１において切断された空気調和装置１００の部分断面図である。図７において、ファン１３のファンロータ１３ａは、第１側壁２１と第４側壁２４とで形成された第１コーナー２５に近い空間に、回転軸を鉛直方向に向けて配置されている。ファンロータ１３ａが回転すると、ケーシング２０の外側の空気が第１吸込口５と第２吸込口６から吸い込まれる。
【００６０】
（３−１）第１ディフューザ１５ａ
第１ディフューザ１５ａは、ファンロータ１３ａによって導入された空気を、その空気の流れの下流側に配置された放熱器１０に向けて拡散させる。ファンロータ１３ａの回転軸方向から視て、第１ディフューザ１５ａの最大幅は、放熱器１０の幅に対応するように設定されている。第１ディフューザ１５ａは、軽量化のため発泡材で成形されている。
【００６１】
（３−２）第１スクロール１６ａ
第１スクロール１６ａは、第１ディフューザ１５ａよりも風上に位置しており、ファンロータ１３ａの外周から徐々に遠心方向に離れるように湾曲しながら延びて第１ディフューザ１５ａに繋がっている。第１スクロール１６ａは、軽量化のため発泡材で成形されている。
【００６２】
（３−３）第１舌部１７ａ
第１舌部１７ａは、第１ディフューザ１５ａよりも風上に位置しており、第１スクロール１６ａとは異なる位置で、ファンロータ１３ａの外周に最も近接する壁の端部から反り返るように第１ディフューザ１５ａに繋がっている。第１舌部１７ａは、軽量化のため発泡材で成形されている。
【００６３】
（３−４）第１通風路１８
第１通風路１８は、放熱器１０の風下側に位置している。第１通風路１８は、第２側壁２２に向かって延びたのち徐々に方向を第１側壁２１に向け、最終的に９０°方向転換して、第１側壁２１の第１吹出口７と繋がる。第１通風路１８は、軽量化のため発泡材で成形されている。
【００６４】
（４）蒸発器１２を通過する空気の経路
図８は、図３に示す仮想平面Ｆ２において切断された空気調和装置１００の部分断面図である。図８において、ファン１３のファンロータ１３ｂは、第１側壁２１と第４側壁２４とで形成された第１コーナー２５に近い空間に、回転軸を鉛直方向に向けて配置されている。ファンロータ１３ｂが回転すると、ケーシング２０の外側の空気が第１吸込口５と第２吸込口６から吸い込まれる。
【００６５】
（４−１）第２ディフューザ１５ｂ
第２ディフューザ１５ｂは、ファンロータ１３ｂによって導入された空気を、その空気の流れの下流側に配置された蒸発器１２に向けて拡散させる。ファンロータ１３ｂの回転軸方向から視て、第２ディフューザ１５ｂの最大幅は、蒸発器１２の幅に対応するように設定されている。第２ディフューザ１５ｂは、軽量化のため発泡材で成形されている。
【００６６】
（４−２）第２スクロール１６ｂ
第２スクロール１６ｂは、第２ディフューザ１５ｂよりも風上に位置しており、ファンロータ１３ｂの外周から徐々に遠心方向に離れるように湾曲しながら延びて第２ディフューザ１５ｂに繋がっている。第２スクロール１６ｂは、軽量化のため発泡材で成形されている。
【００６７】
本実施形態では、第１スクロール１６ａと第２スクロール１６ｂとは一体に成形されており、ファン１３の回転軸方向から視て、第１スクロール１６ａと第２スクロール１６ｂとは同じ位置にあり、この構成によって送風効率が向上する。
【００６８】
但し、第１スクロール１６ａと第２スクロール１６ｂとが別個に成形されたものであっても、ファン１３の回転軸方向から視て、第１スクロール１６ａと第２スクロール１６ｂとのずれが中心角にして５°以内であれば、同様の送風効率が得られる。
【００６９】
（４−３）第２舌部１７ｂ
第２舌部１７ｂは、第２ディフューザ１５ｂよりも風上に位置しており、第２スクロール１６ｂとは異なる位置で、ファンロータ１３ｂの外周に最も近接する壁の端部から反り返るように第２ディフューザ１５ｂに繋がっている。第２舌部１７ｂは、軽量化のため発泡材で成形されている。
【００７０】
本実施形態では、第１舌部１７ａと第２舌部１７ｂとは一体に成形されており、ファン１３の回転軸方向から視て、第１舌部１７ａと第２舌部１７ｂとは同じ位置にあり、この構成によって送風効率が向上する。
【００７１】
但し、第１舌部１７ａと第２舌部１７ｂとが別個に成形されたものであっても、ファン１３の回転軸方向から視て、第１舌部１７ａと第２舌部１７ｂとのずれが中心角にして５°以内であれば、同様の送風効率が得られる。
【００７２】
（４−４）第２通風路１９
第２通風路１９は、蒸発器１２の風下側に位置している。第２通風路１９は、第２側壁２２に向かって延びて第２側壁２２の第２吹出口８と繋がる。第２通風路１９は、軽量化のため発泡材で成形されている。
【００７３】
（５）特徴
（５−１）
空気調和装置１００では、第１吹出口７が放熱器１０を通った空気を横方向に吹き出し、第２吹出口８が蒸発器１２を通った空気を第１吹出口７から吹き出される空気の向きと異なる横方向に吹き出す。ユーザーは空気調和装置１００の向きを変更するだけで冷風および温風のいずれかを得ることができる。このように、冷気と暖気を異なる横方向に吹き分ける構成としたので、通風路がシンプルになり、製品の小型化に寄与する。
【００７４】
（５−２）
ケーシング２０が、第１吹出口７を有する第１側壁２１と、第２吹出口８を有する第２側壁２２とを含んでいるので、ユーザーは空気調和装置１００の向きを変更することによって、対象物に冷気および暖気のいずれか一方を供給することができる。
【００７５】
（５−３）
空気調和装置１００では、放熱器１０を通過した空気が通る第１通風路１８が曲がっている。また、蒸発器１２の通過した空気が通る第２通風路１９が、その通過方向に延びている。このように、放熱器１０および蒸発器１２の一方を通過した空気の通風路を曲げるという構成で冷気と暖気を吹き分けるので、風路がシンプルになり、製品の小型化に寄与する。
【００７６】
（５−４）
空気調和装置１００では、放熱器１０に流れる空気および蒸発器１２に流れる空気は共に、ケーシング２０の少なくとも１つの側壁から取り込まれ、放熱器１０に流れる空気の経路、および蒸発器１２に流れる空気の経路の一部を共用することができるので、製品の小型化に寄与する。
【００７７】
（５−５）
第１吸込口５が第１コーナー２５を形成するケーシング２０の２つの側壁のうちの一方の第１側壁２１に形成され、第２吸込口６が第１コーナー２５を形成するケーシング２０の２つの側壁のうちの他方の第４側壁２４に形成されおり、放熱器１０および蒸発器１２に供給する空気を第１吸込口５および第２吸込口６から取り込むことができる。また、空気流れの経路のうちの空気を吸い込んでから放熱器１０および蒸発器１２の手前までの区間を共用することができるので、製品の小型化に寄与する。
【００７８】
（５−６）
ファン１３が、１つのクロスフローファンで共用されている。それゆえ、部品点数の削減に寄与する。また、クロスフローファンは、圧力分布が均一であり、放熱器１０および蒸発器１２の通風抵抗が同じであれば放熱器１０および蒸発器１２に対して同一の空気量を押し込むことができる。
【００７９】
（５−７）
ファン１３の回転軸方向から視て、放熱器１０側の第１スクロール１６ａと、蒸発器１２側の第２スクロール１６ｂとが、同じ位置、或いは近傍に配置されている。さらに、ファン１３の回転軸方向から視て、放熱器１０側の第１舌部１７ａと、蒸発器１２側の第２舌部１７ｂとが、同じ位置、或いは近傍に配置されている。それゆえ、送風効率が向上する。
【００８０】
（５−８）
放熱器１０と蒸発器１２の幅寸法が異なっていても、放熱器１０に対しては第１ディフューザ１５ａで、蒸発器１２に対しては第２ディフューザ１５ｂで対応することができる。それゆえ、ファン１３の回転軸方向から視て、放熱器１０側の第１スクロール１６ａと、蒸発器１２側の第２スクロール１６ｂとが、同じ位置、或いは近傍に配置されることを可能とし、さらに、ファン１３の回転軸方向から視て、放熱器１０側の第１舌部１７ａと、蒸発器１２側の第２舌部１７ｂとが、同じ位置、或いは近傍に配置されることを可能としている。
【００８１】
（５−９）
空気調和装置１００では、圧縮機９が位置する側が重くなっているので、把手３０３は中央ではなく、重心の真上に把手３０３がくるように装着されることが好ましく、そうすることによって、把手３０３を掴んで空気調和装置１００を持ち上げたときに空気調和装置１００が傾かない。
【００８２】
（６）変形例
上記実施形態では、第１吸込口５が第１側壁２１に設けられ、第２吸込口６が第４側壁２４に設けられており、第１コーナー２５が第１吸込口５と第２吸込口６とで挟まれた態様である。
【００８３】
しかし、吸込口は必ずしも２つである必要はなく、例えば、第１吸込口５および第２吸込口６のいずれか１つでもよい。
【００８４】
あるいは、第１コーナー２５のうち第１吸込口５と第２吸込口６とで挟まれた部分をも除去して１つの吸込口としてもよい。
【００８５】
かかる場合、ケーシング２０に対する吸込口の加工工数の削減となり、低コスト化に寄与する。
【００８６】
＜第２実施形態＞
第１実施形態では、冷気と暖気を異なる横方向に吹き分けるために、放熱器１０と蒸発器１２とを鉛直方向に並べ、放熱器１０及び蒸発器１２の風上側に１つのクロスフローファン１３を配置して、同一の吸込口（第１吸込口５、第２吸込口６）から吸い込んだ空気を放熱器１０及び蒸発器１２に向けて押し込み、放熱器１０を通過した空気が通る第１通風路１８を曲げて第１吹出口７に導き、蒸発器１２の通過した空気が通る第２通風路１９はその通過方向に延ばして第２吹出口８へ導いている。
【００８７】
しかし、本開示の主題である、「第１吹出口７が放熱器１０を通った空気を横方向に吹き出し、第２吹出口８が蒸発器１２を通った空気を第１吹出口７から吹き出される空気の向きと異なる横方向に吹き出すこと」を実現するものは、上記構成に限定されるものではない。
【００８８】
第２実施形態では、ファン１３の回転軸方向から視て第１通風路１８１と第２通風路１９１とを互いに１８０°角度をずらして配置している。以下、図面を用いて説明する。
【００８９】
（１）空気調和装置３００の構成
空気調和装置３００は、第１実施形態の空気調和装置１００と同様、図１に示す冷媒回路を有している。したがって、冷媒回路を構成する圧縮機９、放熱器１０、膨張弁１１及び蒸発器１２については、第１実施形態と同じ符号を付して詳細な説明を省略する。
【００９０】
但し、放熱器１０と蒸発器１２の位置関係については、第１実施形態における放熱器１０と蒸発器１２との位置関係を維持する必要はない。
【００９１】
（２）空気調和装置３００の各部詳細
図９は、第２実施形態の空気調和装置３００の斜視図である。図９において、ケーシング２２０は、水平断面が略矩形である直方体形状を成しており、長手方向が鉛直方向となるように配置される。
【００９２】
（２−１）ケーシング２２０
図９に示すように、ケーシング２２０は、第１側壁２２１、第２側壁２２２、第３側壁２２３および第４側壁２２４を有している。また、底板２２９（図１０参照）と天板２３０とをさらに有している。ケーシング２２０は、第１側壁２２１、第２側壁２２２、第３側壁２２３および第４側壁２２４によって形成された筒の両端の開口を底板２２９と天板２３０とによって閉じた態様である。
【００９３】
ケーシング２２０には、第１吸込口２０５、第２吸込口２０６、第１吹出口２０７および第２吹出口２０８が設けられている。第１吸込口２０５は、第１側壁２２１に形成されている。第２吸込口２０６は、第３側壁２２３に形成されている。第１吹出口２０７は、第４側壁２２４に形成されている。第２吹出口２０８は、第２側壁２２２に形成されている。
【００９４】
また、天板２３０には、第１実施形態の空気調和装置１００と同様の操作パネル３０１と、把手３０３とが設けられている。
【００９５】
図１０は、ケーシング２２０の第２側壁２２２および第３側壁２２３が手前側になるように配置したときの空気調和装置３００の斜視図である。
【００９６】
図１０において、ケーシング２２０は輪郭だけを示す二点鎖線で表示している。図１０に示すように、第２実施形態の空気調和装置３００では、蒸発器１２が放熱器１０よりも低い高さ位置となるように配置されている。
【００９７】
（２−２）第１風路２１０
図１１は、図１０から第１風路２１０および第２風路２１２のみを抽出した分解斜視図である。図９、図１０および図１１において、第１風路２１０は、第１吸込口２０５から吸い込まれた空気を第１吹出口２０７へ導くための風路である。図１１では、ファン１３との位置関係を示すため、ファン１３を二点鎖線で表示している。なお、ファン１３は、第１実施形態と同一のクロスフローファンを採用しており、ファンロータ１３ａとファンロータ１３ｂは一体に成形されている。
【００９８】
但し、第２実施形態では、放熱器１０が蒸発器１２よりも高さ位置が高いので、ファンロータ１３ｂが放熱器１０に対応し、ファンロータ１３ａが蒸発器１２に対応する。
【００９９】
図１１に示すように、第１スクロール２１６ａは、第１通風路２１８よりも風上に位置しており、ファンロータ１３ｂの外周から徐々に遠心方向に離れるように湾曲しながら延びて第１通風路２１８に繋がっている。
【０１００】
第１舌部２１７ａは、第１通風路２１８よりも風上に位置しており、第１スクロール２１６ａとは異なる位置で、ファンロータ１３ｂの外周に最も近接する壁の端部から反り返るように第１通風路２１８に繋がっている。第１風路２１０は、軽量化のため発泡材で成形されている。
【０１０１】
（２−３）第２風路２１２
図９、図１０および図１１において、第２風路２１２は、第２吸込口２０６から吸い込まれた空気を第２吹出口２０８へ導くための風路である。
【０１０２】
図１１に示すように、第２スクロール２１６ｂは、第２通風路２１９よりも風上に位置しており、ファンロータ１３ａの外周から徐々に遠心方向に離れるように湾曲しながら延びて第２通風路２１９に繋がっている。
【０１０３】
第２舌部２１７ｂは、第２通風路２１９よりも風上に位置しており、第２スクロール２１６ｂとは異なる位置で、ファンロータ１３ａの外周に最も近接する壁の端部から反り返るように第２通風路２１９に繋がっている。第２風路２１２は、軽量化のため発泡材で成形されている。
【０１０４】
第２風路２１２は、ファン１３の回転軸から視て第１風路２１０と角度が回転軸回りに１８０°ずれている。これによって、冷風と温風とが互いに反対方向に吹き出される。
【０１０５】
（３）第２実施形態の特徴
空気調和装置３００では、第１吹出口２０７と第２吹出口２０８とが互いに反対向きとなるように、第２風路２１２が、ファン１３の回転軸から視て、第１風路２１０と角度が回転軸回りに１８０°ずれている。
【０１０６】
その結果、冷気と暖気とをケーシングの前面と背面とで吹き分けることができる。ユーザーは空気調和装置３００の向きを変更することによって、対象物に冷気および暖気のいずれか一方を供給することができる。
【０１０７】
＜第１実施形態および第２実施形態共通の変形例＞
第１実施形態の空気調和装置１００および第２実施形態の空気調和装置３００は、ともにユーザーが空気調和装置１００，３００の向きを変更することによって、対象物に冷気および暖気のいずれか一方を供給するものである。
【０１０８】
これに対する共通変形例として、四路切換弁を用いて冷媒回路の冷媒の循環方向を切り換えるようにし、第１吹出口７，２０７および第２吹出口８，２０８から吹き出される空気が、冷風および温風のいずれかに切り換えることができるようにしてもよい。
【０１０９】
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１１０】
本開示の内容は、局所的な冷房又は暖房を行う空気調和装置、若しくはウィンドウエアコンに有用である。
【符号の説明】
【０１１１】
５          第１吸込口
６          第２吸込口
７          第１吹出口
８          第２吹出口
９          圧縮機
１０        放熱器
１２        蒸発器
１３        ファン
１５        ディフューザ
１５ａ      第１ディフューザ
１５ｂ      第２ディフューザ
１６        スクロール
１６ａ      第１スクロール
１６ｂ      第２スクロール
１７        舌部
１７ａ      第１舌部
１７ｂ      第２舌部
１８        第１通風路
１９        第２通風路
２０        ケーシング
２１        第１側壁（第１の側壁）
２２        第２側壁（第２の側壁）
２４        第４側壁
２５        第１コーナー（角部）
３１        把手
２０７      第１吹出口
２０８      第２吹出口
２２４      第４側壁（第１の側壁）
２２２      第２側壁（第２の側壁）
３０３      把手
【先行技術文献】
【特許文献】
【０１１２】
【特許文献１】特開昭６３−１７６９３８号公報
【図１】
2022001797.tif 000003
【図２】
2022001797.tif 000004
【図３】
2022001797.tif 000005
【図４】
2022001797.tif 000006
【図５】
2022001797.tif 000007
【図６】
2022001797.tif 000008
【図７】
2022001797.tif 000009
【図８】
2022001797.tif 000010
【図９】
2022001797.tif 000011
【図１０】
2022001797.tif 000012
【図１１】
2022001797.tif 000013